(57)【特許請求の範囲】
【請求項１】
乗員を輸送する輸送機において各座席毎に配備される複数の救命具を管理する救命具管理システムであって、
前記各救命具には、当該救命具を特定する救命具情報と所定の情報について読み書き可能なＲＦＩＤタグとが付されており、
前記救命具に付された前記救命具情報とこの救命具が配備された前記座席を特定する座席情報とを座席毎に取得するための取得手段と、
前記取得手段により取得された前記救命具情報および前記座席情報を関連付けてこの救命具情報に対応する前記救命具に付された前記ＲＦＩＤタグに書き込むための書込手段と、
前記取得手段にて取得された複数の前記救命具情報および前記座席情報をそれぞれ関連付けて救命具配備情報を生成する生成手段と、
前記ＲＦＩＤタグに書き込まれた前記救命具情報および前記座席情報を無線通信により読み取るための読取手段と、
全ての前記救命具の前記ＲＦＩＤタグについて前記読取手段により読み取られた複数の前記座席情報と、前記生成手段により生成された前記救命具配備情報とに基づいて、前記救命具が配備されていない前記座席があるか否かについて判定する判定手段と、
を備え、
前記ＲＦＩＤタグには、前記読取手段により当該ＲＦＩＤタグに書き込まれた前記救命具情報および前記座席情報が読み取られるとき、この読み取りに関する情報が書き込まれることを特徴とする救命具管理システム。
【請求項２】
前記各座席の配置が反映された座席マップを表示する表示手段であって、この座席マップに対して、前記読取手段により前記座席情報が読み取られた座席と前記読取手段により読み取られなかった座席とが区別して表示される表示手段を備えることを特徴とする請求項１に記載の救命具管理システム。
【請求項３】
前記判定手段による判定結果を前記輸送機の運行の可否を判断するための情報として報知する第１報知手段を備えることを特徴とする請求項１または２に記載の救命具管理システム。
【請求項４】
前記判定手段により前記救命具が配備されていない前記座席があると判定されてこの救命具が配備されていない座席に対して新たな救命具が配備されるとき、この新たな救命具の前記救命具情報と当該座席の前記座席情報とを前記取得手段により取得することで前記救命具配備情報を更新する更新手段を備え、
前記更新手段による更新の際に、更新対象の前記救命具情報および前記座席情報を、前記書込手段により更新対象の前記救命具の前記ＲＦＩＤタグに書き込むことを特徴とする請求項１〜３のいずれか一項に記載の救命具管理システム。
【請求項５】
前記救命具情報には、当該救命具の使用期限日時に関する情報が含まれ、
前記読取手段により読み取られた前記救命具情報の前記使用期限日時までの残時間が所定の期間よりも短くなるとき、その旨を報知する第２報知手段を備えることを特徴とする請求項１〜４のいずれか一項に記載の救命具管理システム。
【請求項６】
前記ＲＦＩＤタグを自動的に検出可能であって前記輸送機から降りる前記乗員が通る通路に配置されるＲＦＩＤタグ検出手段と、
前記ＲＦＩＤタグ検出手段により前記ＲＦＩＤタグが検出されるとき、その旨を報知する第３報知手段と、を備えることを特徴とする請求項１〜５のいずれか一項に記載の救命具管理システム。
【発明の詳細な説明】
【技術分野】
【０００１】
本発明は、乗員を輸送する航空機等の輸送機に搭載される救命具を管理する救命具管理システムに関する。
【背景技術】
【０００２】
従来、乗員を輸送する航空機等の輸送機に搭載される救命具を管理する救命具管理システムに関する技術として、下記特許文献１に示す航空機整備情報管理システムが知られている。この管理システムは、航空機管理情報をデータベース化して保有する航空機管理情報記憶部と、新たに発生する点検及び故障データの整備記録情報を記憶する整備情報記憶部と、この整備情報記憶部からの新たな整備記録情報を画面表示する表示装置と、上記航空機管理情報記憶部から各種情報を読み込んで演算処理し且つ各構成要素の動作を制御する中央処理装置とを有する整備情報管理装置を備えている。また、当該管理システムは、携帯型の整備情報入力記憶装置と、携帯型の印刷装置とを備えている。これにより、航空機の定時点検及び故障診断等の情報を機体の整備作業の現場で電子化し、この電子情報化された整備記録情報を管理し、航空機の整備業務における作業処理の省力化、迅速化を図っている。
【先行技術文献】
【特許文献】
【０００３】
【特許文献１】特開２０００−１６８６９６号公報
【発明の概要】
【発明が解決しようとする課題】
【０００４】
ところで、上記特許文献１にて開示されるように、航空機や船舶などの輸送機の整備業務は、人命に係わる作業であり極めて重要なものである。特に、災害時に人命を守るための救命胴衣等の救命具に関しては、例えば、航空法第６２条により、航空機には救命胴衣などの救命具を装備することが義務付けられている。また、航空法７２条の２により、救命胴衣などの運行に必要な準備が整っていることを出発前に確認することが義務付けられている。そのため、客室乗務員が運行前に各席の救命胴衣の有無を目視で確認する確認作業を実施している。しかしながら、このような確認作業には時間がかかり、客室乗務員にとって大きな業務負担となるという問題がある。
【０００５】
本発明は、上述した課題を解決するためになされたものであり、その目的とするところは、救命具の配備状態を容易に確認可能な救命具管理システムを提供することにある。
【課題を解決するための手段】
【０００６】
上記目的を達成するため、特許請求の範囲に記載の請求項１の救命具管理システムでは、乗員を輸送する輸送機において各座席毎に配備される複数の救命具を管理する救命具管理システムであって、前記各救命具には、当該救命具を特定する救命具情報と所定の情報について読み書き可能なＲＦＩＤタグとが付されており、前記救命具に付された前記救命具情報とこの救命具が配備された前記座席を特定する座席情報とを座席毎に取得するための取得手段と、前記取得手段により取得された前記救命具情報および前記座席情報を関連付けてこの救命具情報に対応する前記救命具に付された前記ＲＦＩＤタグに書き込むための書込手段と、前記取得手段にて取得された複数の前記救命具情報および前記座席情報をそれぞれ関連付けて救命具配備情報を生成する生成手段と、前記ＲＦＩＤタグに書き込まれた前記救命具情報および前記座席情報を無線通信により読み取るための読取手段と、全ての前記救命具の前記ＲＦＩＤタグについて前記読取手段により読み取られた複数の前記座席情報と、前記生成手段により生成された前記救命具配備情報とに基づいて、前記救命具が配備されていない前記座席があるか否かについて判定する判定手段と、を備え、前記ＲＦＩＤタグには、前記読取手段により当該ＲＦＩＤタグに書き込まれた前記救命具情報および前記座席情報が読み取られるとき、この読み取りに関する情報が書き込まれることを特徴とする。
【０００７】
請求項２の発明は、請求項１に記載の救命具管理システムにおいて、前記各座席の配置が反映された座席マップを表示する表示手段であって、この座席マップに対して、前記読取手段により前記座席情報が読み取られた座席と前記読取手段により読み取られなかった座席とが区別して表示される表示手段を備えることを特徴とする。
【０００８】
請求項３の発明は、請求項１または２に記載の救命具管理システムにおいて、前記判定手段による判定結果を前記輸送機の運行の可否を判断するための情報として報知する第１報知手段を備えることを特徴とする。
【０００９】
請求項４の発明は、請求項１〜３のいずれか一項に記載の救命具管理システムにおいて、前記判定手段により前記救命具が配備されていない前記座席があると判定されてこの救命具が配備されていない座席に対して新たな救命具が配備されるとき、この新たな救命具の前記救命具情報と当該座席の前記座席情報とを前記取得手段により取得することで前記救命具配備情報を更新する更新手段を備え、前記更新手段による更新の際に、更新対象の前記救命具情報および前記座席情報を、前記書込手段により更新対象の前記救命具の前記ＲＦＩＤタグに書き込むことを特徴とする。
【００１０】
請求項５の発明は、請求項１〜４のいずれか一項に記載の救命具管理システムにおいて、前記救命具情報には、当該救命具の使用期限日時に関する情報が含まれ、前記読取手段により読み取られた前記救命具情報の前記使用期限日時までの残時間が所定の期間よりも短くなるとき、その旨を報知する第２報知手段を備えることを特徴とする。
【００１２】
請求項６の発明は、請求項１〜５のいずれか一項に記載の救命具管理システムにおいて、前記ＲＦＩＤタグを自動的に検出可能であって前記輸送機から降りる前記乗員が通る通路に配置されるＲＦＩＤタグ検出手段と、前記ＲＦＩＤタグ検出手段により前記ＲＦＩＤタグが検出されるとき、その旨を報知する第３報知手段と、を備えることを特徴とする。
【発明の効果】
【００１３】
請求項１の発明では、各救命具には、当該救命具を特定する救命具情報と所定の情報について読み書き可能なＲＦＩＤタグとが付されている。そして、取得手段により、救命具の救命具情報とこの救命具が配備された座席の座席情報とが座席毎に取得されると、書込手段により、これら救命具情報および座席情報が関連付けられてこの救命具情報に対応する救命具に付されたＲＦＩＤタグに書き込まれる。また、生成手段により、取得手段にて取得された複数の救命具情報および座席情報がそれぞれ関連付けられて救命具配備情報が生成される。そして、全ての救命具のＲＦＩＤタグについて読取手段により読み取られた複数の座席情報と生成手段により生成された救命具配備情報とに基づいて、救命具が配備されていない座席があるか否かについて判定手段により判定される。
【００１４】
上記救命具配備情報は、救命具の救命具情報とこの救命具が配備された座席の座席情報とがそれぞれ関連付けられて生成されるため、救命具の配備時等に生成手段により生成されることで、救命具が配備されていない座席があるか否かを判定する判定手段の判定基準となり得る。そして、読取手段により座席情報が読み取られた座席には救命具が配備されていると判断できるため、救命具の配備状態の確認作業時に上述のように読み取られた各座席情報と上述のように生成された救命具配備情報の各座席情報とが一致する場合には、判定手段により全ての座席に救命具が配備されていると判定することができる。一方、読取手段により読み取られた各座席情報と上述のように生成された救命具配備情報の各座席情報とが一致しない場合には、判定手段により救命具が配備されていない座席があると判定することができる。特に、ＲＦＩＤタグの情報が読取手段により無線通信で読み取られるため、ＲＦＩＤタグに書き込まれた座席情報の取得が容易となり、各救命具の配備状態の確認作業を容易に実施することができる。
したがって、救命具の配備状態を容易に確認することができる。
また、請求項１の発明では、ＲＦＩＤタグには、読取手段により当該ＲＦＩＤタグに書き込まれた救命具情報および座席情報が読み取られるとき、この読み取りに関する情報が書き込まれる。このため、読取手段によりＲＦＩＤタグの救命具情報および座席情報が読み取られるとき、すなわち、救命具の配備状態の確認作業がなされるときには、この読み取りに関する情報が作業毎にＲＦＩＤタグに書き込まれることとなる。これにより、輸送機に関する確認作業を管理する管理センター等は、その管理対象外での地域にてこの輸送機に対して上記確認作業が実施される場合であっても、当該輸送機が管理対象の地域に到着したときにでもＲＦＩＤタグに書き込まれた情報を確認することで、上記確認作業の実施を確実に把握することができる。
【００１５】
請求項２の発明では、表示手段により、各座席の配置が反映された座席マップに対して、読取手段により座席情報が読み取られた座席と読取手段により読み取られなかった座席とが区別して表示される。これにより、読取手段により読み取られなかった座席、すなわち、救命具が配備されていない座席を、座席マップを用いて容易に視認することができる。
【００１６】
請求項３の発明では、第１報知手段により、判定手段による判定結果が、輸送機の運行の可否を判断するための情報として報知される。これにより、各座席に救命具が配備されているか否かの情報に応じて輸送機の運行の可否を判断する部署等に判定手段による判定結果を第１報知手段により報知することで、救命具の配備状態に起因する輸送機の運行の可否を上記部署等にて迅速に判断することができる。
【００１７】
請求項４の発明では、判定手段により救命具が配備されていない座席があると判定されてこの救命具が配備されていない座席に対して新たな救命具が配備されるとき、この新たな救命具の救命具情報と当該座席の座席情報とを取得手段により取得することで、更新手段により救命具配備情報が更新される。そして、更新手段による更新の際に、更新対象の救命具情報および座席情報が、書込手段により更新対象の救命具のＲＦＩＤタグに書き込まれる。
【００１８】
このように、新たに配備される救命具の救命具情報と座席情報とが取得手段により取得されると救命具配備情報が更新手段により更新されるので、救命具配備情報は、救命具が新たに配備される場合でも、実際に配備された救命具の救命具情報が反映されて常に最新の情報となり得る。また、更新対象の救命具情報および座席情報が当該救命具のＲＦＩＤタグに書き込まれるので、既に配備済みの救命具に新たに配備された救命具を含めた全救命具の配備状態の確認を同一作業にて実施することができる。
【００１９】
請求項５の発明では、救命具情報には、当該救命具の使用期限日時に関する情報が含まれており、読取手段により読み取られた救命具情報の使用期限日時までの残時間が所定の期間よりも短くなるとき、その旨が第２報知手段により報知される。このため、第２報知手段による報知により、使用期限日時までの残時間が短くなった救命具の交換を促すことができる。
【００２１】
請求項６の発明では、輸送機から降りる乗員が通る通路にＲＦＩＤタグ検出手段が配置されており、このＲＦＩＤタグ検出手段によりＲＦＩＤタグが検出されるとき、その旨が第３報知手段により報知される。これにより、座席に配備された救命具が乗員により不正に輸送機外に持ち出される場合に、この持ち出しが第３報知手段により報知されることとなるので、救命具の持ち出しを確実に検知して救命具の盗難を防止することができる。特に、ＲＦＩＤタグ検出手段により検出されたＲＦＩＤタグの座席情報が取得されることで、不正持出者がどの座席に座っていたか分かるので、後からでもその不正持出者を特定することができる。
【図面の簡単な説明】
【００２２】
【図１】第１実施形態に係る救命具管理システムの構成概要を示す説明図である。
【図２】図１の携帯端末の電気的構成を例示するブロック図である。
【図３】第１実施形態における制御部による救命具配備情報生成処理の流れを例示するフローチャートである。
【図４】第１実施形態における制御部による救命具配備状態確認処理の流れを例示するフローチャートの一部である。
【図５】第１実施形態における制御部による救命具配備状態確認処理の流れを例示するフローチャートの一部である。
【図６】読み取られた座席番号が表示された座席マップの一例を示す説明図である。
【図７】救命胴衣が配備されていない座席の座席番号が表示された座席マップの一例を示す説明図である。
【図８】第２実施形態における制御部による救命具配備状態確認処理の流れを例示するフローチャートの一部である。
【図９】第２実施形態における制御部による救命具配備状態確認処理の流れを例示するフローチャートの一部である。
【図１０】第３実施形態に係る救命具管理システムの構成概要を示す説明図である。
【図１１】第３実施形態における救命具盗難防止処理の流れを例示するフローチャートである。
【発明を実施するための形態】
【００２３】
［第１実施形態］
以下、本発明の救命具管理システムを具現化した第１実施形態について、図面を参照して説明する。図１は、第１実施形態に係る救命具管理システム１０の構成概要を示す説明図である。図２（Ａ）は、図１の携帯端末２０の電気的構成を例示するブロック図であり、図２（Ｂ）は、図２（Ａ）の情報コード読取部３０の電気的構成を例示するブロック図であり、図２（Ｃ）は、図２（Ａ）の非接触通信部４０の電気的構成を例示するブロック図である。
【００２４】
図１に示す救命具管理システム１０は、乗員を輸送する輸送機において各座席毎に配備される複数の救命具を管理するシステムである。本第１実施形態では、救命具管理システム１０は、上記救命具として、航空機の各座席Ｓ毎に配備される救命胴衣５０を管理対象としている。
【００２５】
救命具管理システム１０は、救命胴衣５０の配備状態を管理するための管理サーバ１１と、各救命胴衣５０に関する情報について読み書きするための携帯端末２０とを備えている。また、各救命胴衣５０には、当該救命胴衣５０を特定する情報、例えば、型番やシリアル番号等の救命具情報が光学的に読み取り可能にコード化されたＱＲコード（登録商標）５１と、所定の情報について無線通信により読み書き可能なＲＦＩＤタグ５２とがそれぞれ付されている。また、救命胴衣５０が座席下に配備される各座席Ｓには、当該座席を特定する座席番号情報が光学的に読み取り可能にコード化されたバーコードＳｂが付されている。なお、救命胴衣５０は、特許請求の範囲に記載の「救命具」の一例に相当し、座席番号情報は、特許請求の範囲に記載の「座席情報」の一例に相当し得る。
【００２６】
管理サーバ１１は、基地局１２を介して携帯端末２０と通信することで、当該携帯端末２０にて生成された救命具配備情報（後述する）を取得して管理するように構成されている。上記基地局１２は、航空機内にて使用される携帯端末２０と無線通信可能となるように、各空港の駐機場等に配置されている。すなわち、管理サーバ１１は、空港の駐機場等に停留する航空機内での携帯端末２０を使用した作業状態を管理するためのサーバとして機能する。
【００２７】
携帯端末２０は、バーコードや二次元コードなどの情報コードを読み取る情報コードリーダとしての機能と、ＲＦＩＤタグを読み取るＲＦＩＤタグリーダとしての機能とを備え、読み取りを二方式で行いうる構成となっている。
図２（Ａ）に示すように、携帯端末２０の筐体内には、携帯端末２０全体を制御する制御部２１が設けられている。この制御部２１は、マイコンを主体として構成されるものであり、ＣＰＵ、システムバス、入出力インタフェース等を有し、メモリ２２とともに情報処理装置を構成している。また、制御部２１には、ＬＥＤ２３、表示部２４、キー操作部２５、スピーカ２６、外部インターフェース２７などが接続されている。キー操作部２５は、制御部２１に対して操作信号を与える構成をなしており、制御部２１は、この操作信号を受けて操作信号の内容に応じた動作を行う。また、ＬＥＤ２３、表示部２４およびスピーカ２６は、制御部２１によって制御される構成をなしており、それぞれ、制御部２１からの指令を受けて動作する。外部インターフェース２７は、管理サーバ１１との間でのデータ通信を行うためのインターフェースとして構成されており、制御部２１と協働して通信処理を行う構成をなしている。また、筐体内には、電源となるバッテリ２８や電源部２９が設けられており、これらによって制御部２１や各種電気部品に電力が供給されている。
【００２８】
また、制御部２１には、情報コード読取部３０および非接触通信部４０がそれぞれ接続されている。
情報コード読取部３０は、図２（Ｂ）に示すように、ＣＣＤエリアセンサからなる受光センサ３３、結像レンズ３７、複数個のＬＥＤやレンズ等から構成される照明部３１などを備えた構成をなしており、制御部２１と協働して読取対象に付された情報コード（バーコードや二次元コード）を読み取るように機能する。なお、本第１実施形態では、救命胴衣５０に付されたＱＲコード５１と、各座席Ｓに付されたバーコードＳｂとが読取対象となる。
【００２９】
この情報コード読取部３０によって読み取りを行う場合、まず、制御部２１によって指令を受けた照明部３１から照明光Ｌｆが出射され、この照明光Ｌｆが図略の読取口を通って読取対象に照射される。そして、照明光Ｌｆが情報コードにて反射した反射光Ｌｒは読取口を通って装置内に取り込まれ、結像レンズ３７を通って受光センサ３３に受光される。読取口と受光センサ３３との間に配される結像レンズ３７は、情報コードの像を受光センサ３３上に結像させる構成をなしており、受光センサ３３はこの情報コードの像に応じた受光信号を出力する。受光センサ３３から出力された受光信号は、画像データとしてメモリ２２（図２（Ａ））に記憶され、情報コードに含まれる情報を取得するためのデコード処理に用いられるようになっている。なお、情報コード読取部３０には、受光センサ３３からの信号を増幅する増幅回路や、その増幅された信号をデジタル信号に変換するＡＤ変換回路等が設けられているがこれらの回路については図示を省略している。
【００３０】
非接触通信部４０は、アンテナ４１及び制御部２１と協働して無線タグ等の非接触通信媒体との間で電磁波による通信を行ない、非接触通信媒体に記憶されるデータの読取り、或いは非接触通信媒体に対するデータの書込みを行なうように機能するものである。この非接触通信部４０は、公知の電波方式で伝送を行う回路として構成されており、図２（Ｃ）にて概略的に示すように、発振器４２、変調器４３、復調器４４などを備えてなるものである。なお、非接触通信部４０には、これら以外の公知構成（例えば、増幅器、フィルタ回路、整合回路等）も設けられているが、図２（Ｃ）ではこれらについては図示を省略している。なお、本第１実施形態では、上記非接触通信媒体として、救命胴衣５０に付されたＲＦＩＤタグ５２が通信対象となる。
【００３１】
また、非接触通信部４０は、所定の操作により、当該携帯端末２０に対して比較的近距離に位置する非接触通信媒体のみに対して通信可能となるように通信範囲が限定される短距離モードと、上記通信範囲の限定が解除される長距離モードと、を選択可能に構成されている。
【００３２】
次に、各救命胴衣５０の配備確認作業について説明する。図３は、第１実施形態における制御部２１による救命具配備情報生成処理の流れを例示するフローチャートである。図４および図５は、第１実施形態における制御部２１による救命具配備状態確認処理の流れを例示するフローチャートである。図６は、読み取られた座席番号が表示された座席マップの一例を示す説明図である。図７は、救命胴衣５０が配備されていない座席Ｓの座席番号が表示された座席マップの一例を示す説明図である。
【００３３】
まず、救命胴衣５０が配備されていない座席Ｓがあるか否かを判定する際の判定基準となる救命具配備情報を生成する救命具配備情報生成処理について図３を用いて説明する。
救命胴衣５０が配備されていない航空機に対して、各救命胴衣５０を１つずつ座席Ｓに配備する際には、作業者は、携帯端末２０を用いて、救命胴衣５０に付されているＱＲコード５１と、当該救命胴衣５０が配備される座席Ｓに付されるバーコードＳｂと、を読み取る読取作業を実施する。これにより、図３のステップＳ１０１にて取得処理がなされて、ＱＲコード５１およびバーコードＳｂが１つずつ光学的に読み取られて、救命具情報および座席番号情報が取得される。なお、ステップＳ１０１を実行する制御部２１は、特許請求の範囲に記載の「取得手段」の一例に相当し得る。
【００３４】
次に、ステップＳ１０３にて書込処理がなされ、ステップＳ１０１にて取得された救命具情報および座席番号情報が関連付けられて当該救命胴衣５０に付されたＲＦＩＤタグ５２に書き込まれる。このとき、隣接する座席Ｓに配備される他の救命胴衣５０のＲＦＩＤタグ５２への書き込みを防止するために、上記短距離モードに設定された状態で上記書込処理がなされることとなる。なお、ステップＳ１０３を実行する制御部２１は、特許請求の範囲に記載の「書込手段」の一例に相当し得る。
【００３５】
続いて、ステップＳ１０５にて全座席に対応する情報が取得されたか否かについて判定される。ここで、各救命胴衣５０が全ての座席Ｓに配備されて、全ての座席Ｓの座席番号情報とこれら全座席Ｓのそれぞれに配備される救命胴衣５０の救命具情報とが関連付けて取得されるまで、ステップＳ１０５にてＮｏと判定されて、上記ステップＳ１０１からの処理が繰り返される。
【００３６】
そして、作業者が各救命胴衣５０を全ての座席Ｓに配備するとともに、携帯端末２０を用いて全ての座席Ｓの座席番号情報とこれら全座席Ｓに配備される救命胴衣５０の救命具情報とが関連付けて取得されると、ステップＳ１０５にてＹｅｓと判定される。次に、ステップＳ１０７において、生成処理がなされる。この処理では、全座席Ｓの座席番号情報と当該座席Ｓに配備される救命胴衣５０の救命具情報とがそれぞれ関連付けられて救命具配備情報が生成される。この救命具配備情報は、救命胴衣５０の救命具情報とこの救命胴衣５０が配備された座席Ｓの座席番号情報とがそれぞれ関連付けられて生成されるため、救命胴衣５０の配備時等に生成されることで、救命胴衣５０が配備されていない座席Ｓがあるか否かを判定する際の判定基準となり得る。なお、ステップＳ１０７を実行する制御部２１は、特許請求の範囲に記載の「生成手段」の一例に相当し得る。
【００３７】
続いて、ステップＳ１０９において、送信処理がなされる。この処理では、ステップＳ１０７にて生成された救命具配備情報が、基地局１２を介して管理サーバ１１に送信される。管理サーバ１１では、受信した救命具配備情報が当該航空機を特定するための機材番号に関連付けられて、携帯端末２０からの要求に応じて送信可能に記憶される。
これにより、各座席Ｓへの救命胴衣５０の配備とともに、制御部２１による救命具配備情報生成処理が終了する。
【００３８】
次に、上述のように生成された救命具配備情報に基づいて各座席Ｓに救命胴衣５０が配備されているか否かについて確認する救命具配備状態確認処理について、図４および図５を用いて説明する。
出発前の航空機において各座席Ｓに対する救命胴衣５０の配備状態を確認する場合には、作業者は、確認作業対象の航空機に対応する上記救命具配備情報を取得するため、携帯端末２０に対して、当該航空機の機材番号を入力する。これにより、図４のステップＳ２０１において、救命具配備情報取得処理がなさる。この処理では、上述のように入力された機材番号に応じた救命具配備情報が、基地局１２を介して管理サーバ１１から受信されて取得される。なお、上記救命具配備情報が携帯端末２０のメモリ２２に予め記憶されており、上記ステップＳ２０１では、このメモリ２２に予め記憶された救命具配備情報を読み出すようにしてもよい。
【００３９】
次に、ステップＳ２０３において、読取処理がなされる。この処理では、作業者により各座席Ｓ近傍に携帯端末２０が近づけられることで、各座席Ｓ毎に配備される救命胴衣５０のＲＦＩＤタグ５２に記憶された救命具情報および座席番号情報が無線通信により読み取られる。このとき、複数のＲＦＩＤタグ５２を同時に読み取ることで読取作業時間を短縮するために、上記長距離モードに設定された状態で上記読取処理がなされることとなる。なお、ステップＳ２０３を実行する制御部２１は、特許請求の範囲に記載の「読取手段」の一例に相当し得る。
【００４０】
そして、ステップＳ２０５において、ログ情報書込処理がなされる。この処理では、上記ステップＳ２０３による読み取りに関するログ情報が日時情報とともに、ステップＳ２０３にて読み取ったＲＦＩＤタグ５２に書き込まれる。なお、上述のような読み取りに関する情報は、携帯端末２０のメモリ２２等にログ情報として記憶されてもよい。
【００４１】
続いて、ステップＳ２０７において、読取状態表示処理がなされる。この処理では、図６に示すように、表示部２４に各座席Ｓの配置が反映された座席マップが表示され、この座席マップに対して、ステップＳ２０３での読み取りにより得られた座席番号が累積表示される。このように座席番号情報が読み取られた座席Ｓと読み取られなかった座席Ｓとが区別して表示されるため、作業者は、どの座席Ｓに配備された救命胴衣５０のＲＦＩＤタグ５２が読み取られたかを、容易に把握することができる。なお、表示部２４は、特許請求の範囲に記載の「表示手段」の一例に相当し得る。
【００４２】
次に、ステップＳ２０９において、航空機内にある全ての救命胴衣５０のＲＦＩＤタグ５２の情報が読み取られたか否かについて判定される。ここで、全ての救命胴衣５０のＲＦＩＤタグ５２に記憶された情報が読み取られておらず、読み取っていないＲＦＩＤタグ５２がある場合には、ステップＳ２０９にてＮｏと判定されて、上記ステップＳ２０３からの処理が繰り返される。
【００４３】
そして、作業者が長距離モードに設定された携帯端末２０を全ての座席Ｓに近づけることで、航空機内にある全ての救命胴衣５０のＲＦＩＤタグ５２に記憶された情報が読み取られると、ステップＳ２０９にてＹｅｓと判定される。
【００４４】
次に、ステップＳ２１１において、救命胴衣５０が配備されていない座席Ｓがあるか否かについて判定される。ここで、全ての座席Ｓについて座席番号情報および救命具情報が読み取られていることから、救命胴衣５０が配備されていない座席Ｓがないと判定されると（Ｓ２１１でＮｏ）、ステップＳ２１３にて完備情報表示処理がなされる。この処理では、表示部２４に、全ての座席Ｓに救命胴衣５０が配備されている旨が表示される。これにより、作業者は、全ての座席Ｓに救命胴衣５０がそれぞれ配備されていることを認識することができる。なお、ステップＳ２１１を実行する制御部２１は、特許請求の範囲に記載の「判定手段」の一例に相当し得る。
【００４５】
続いて、ステップＳ２１５において、完備情報送信処理がなされる。この処理では、全ての座席Ｓに救命胴衣５０が適切に配備されている状態を示す完備情報が管理サーバ１１に対して送信される。管理サーバ１１では、基地局１２を介して上記完備情報が受信されると、航空機の運行の可否を判断するための情報として、当該完備情報が航空機の運行の可否を判断する部署等に対して報知されて、制御部２１による救命具配備状態確認処理が終了する。これにより、救命胴衣５０の配備に関する情報が上記部署等に迅速に報知されることとなる。なお、ステップＳ２１５を実行する制御部２１は、特許請求の範囲に記載の「第１報知手段」の一例に相当し得る。
【００４６】
一方、航空機内にある全ての救命胴衣５０のＲＦＩＤタグ５２に記憶された情報が読み取られた場合であっても（Ｓ２０９でＹｅｓ）、座席番号情報が読み取られていない座席Ｓがあることから、救命胴衣５０が配備されていない座席Ｓがあると判定されると（Ｓ２１１でＹｅｓ）、図５のステップＳ２１７にて不備情報表示処理がなされる。この処理では、表示部２４に上記座席マップが表示されるとともにこの座席マップに対して救命胴衣５０が配備されている座席Ｓの座席番号が表示される。すなわち、救命胴衣５０が配備されていない座席Ｓの座席番号は、座席マップに表示されないこととなる。これにより、作業者は、座席番号情報が読み取られなかった座席Ｓ、すなわち、救命胴衣５０が配備されていない可能性がある座席Ｓを、座席マップを用いて容易に視認することができる。なお、ステップＳ２１７では、図７に例示するように、表示部２４に、救命胴衣５０が配備されていない座席Ｓの座席番号のみを強調して表示するようにしてもよい。
【００４７】
次に、ステップＳ２１９にてＲＦＩＤタグ５２の読み取りか否かについて判定されるとともに、ステップＳ２２１にて情報コード、すなわち、救命胴衣５０のＱＲコード５１と不備とみなされた座席ＳのバーコードＳｂとの読み取りか否かについて判定され、いずれかの情報が読み取られるまで、ステップＳ２１９およびステップＳ２２１にてＮｏと判定されて上記ステップＳ２１７からの処理が繰り返される。
【００４８】
ここで、不備とみなされた座席Ｓについて、救命胴衣５０が実際に配備されているにもかかわらず、単に読み取りできていなかった場合には、作業者により当該座席Ｓに配備済みの救命胴衣５０に付されたＲＦＩＤタグ５２の座席番号情報および救命具情報が改めて読み取られると、ステップＳ２１９にてＹｅｓと判定される。
【００４９】
一方、不備とみなされた座席Ｓに救命胴衣５０が配備されていない場合や配備された救命胴衣５０のＲＦＩＤタグ５２が損傷等により読み取りできないために、作業者が新たな救命胴衣５０を用意し、この救命胴衣５０のＱＲコード５１と不備とみなされた座席ＳのバーコードＳｂとが読み取られると、ステップＳ２２１にてＹｅｓと判定される。続いて、ステップＳ２２３にて書込処理がなされ、上記ステップＳ１０３と同様に、上述のように新たに読み取られて取得された救命具情報および座席番号情報が関連付けられて当該救命胴衣５０に付されたＲＦＩＤタグ５２に書き込まれる。
【００５０】
上記ステップＳ２１９にてＹｅｓと判定されるか上記ステップＳ２２３の処理が実施されると、ステップＳ２２５にて、全ての座席Ｓについて座席番号情報および救命具情報が読み取られたか否かについて判定される。そして、座席番号情報が読み取られていない座席Ｓを認識した作業者により、当該座席Ｓに関する座席番号情報および救命具情報が読み取られるまで、ステップＳ２２５にてＮｏと判定されて、上述したステップＳ２１７からの処理が繰り返される。
【００５１】
そして、作業者により、不備とみなされた座席Ｓに救命胴衣５０が配備された状態でＲＦＩＤタグ５２の座席番号情報および救命具情報が読み取られることで、全ての座席Ｓについて座席番号情報および救命具情報が読み取られると、ステップＳ２２５にてＹｅｓと判定される。
【００５２】
続いて、ステップＳ２２７において、ステップＳ２０１にて取得した救命具配備情報から得られる各座席Ｓでの救命具情報と、実際に読み取った各座席Ｓでの救命具情報とが一致するか否かについて判定される。新たな救命胴衣５０を用意することなく全ての座席Ｓについて座席番号情報および救命具情報が読み取られる場合には（Ｓ２１９でＹｅｓ）、ステップＳ２０１にて取得した救命具配備情報から得られる各座席Ｓでの救命具情報と、実際に読み取った各座席Ｓでの救命具情報とが一致するので、ステップＳ２２７にてＹｅｓと判定されて、後述するステップＳ２２９以降の処理を実施することなく、上述した図４のステップＳ２１３からの処理がなされる。
【００５３】
一方、新たな救命胴衣５０を用意することで全ての座席Ｓについて座席番号情報および救命具情報が読み取られる場合には（Ｓ２２１でＹｅｓ）、ステップＳ２０１にて取得した救命具配備情報から得られる各座席Ｓでの救命具情報と、実際に読み取った各座席Ｓでの救命具情報とが一致しないので、ステップＳ２２７にてＮｏと判定される。
【００５４】
そして、ステップＳ２２９にて救命具配備情報更新処理がなされる。この処理では、実際に読み取った各座席Ｓでの救命具情報に応じて、上記ステップＳ２０１にて取得した救命具配備情報が更新される。これにより、救命具配備情報は、救命胴衣５０が新たに配備される場合でも、実際に配備された救命胴衣５０の救命具情報が反映された最新の情報となり得る。
【００５５】
続いて、ステップＳ２３１にて救命具配備情報送信処理がなされ、上述のように更新された救命具配備情報が、基地局１２を介して管理サーバ１１に送信される。管理サーバ１１では、受信した救命具配備情報に基づいて、記憶された救命具配備情報が更新されることとなる。このように、ステップＳ２３１における処理がなされると、上述した図４のステップＳ２１３からの処理がなされることとなる。なお、ステップＳ２３１を実行する制御部２１は、特許請求の範囲に記載の「更新手段」の一例に相当し得る。
【００５６】
以上説明したように、本第１実施形態に係る救命具管理システム１０では、各救命胴衣５０には、救命具情報が光学的に読み取り可能にコード化されたＱＲコード５１と所定の情報について読み書き可能なＲＦＩＤタグ５２とが付されている。そして、携帯端末２０により、救命胴衣５０の救命具情報とこの救命胴衣５０が配備された座席Ｓの座席番号情報とが座席Ｓ毎に取得されると、これら救命具情報および座席情報が関連付けられてこの救命具情報に対応する救命胴衣５０に付されたＲＦＩＤタグ５２に書き込まれる。また、携帯端末２０により、取得された複数の救命具情報および座席番号情報がそれぞれ関連付けられて救命具配備情報が生成される。そして、全ての救命胴衣５０のＲＦＩＤタグ５２について携帯端末２０により読み取られた複数の座席番号情報と上記救命具配備情報とに基づいて、救命胴衣５０が配備されていない座席Ｓがあるか否かについて判定される。
【００５７】
これにより、上述のように読み取られた各座席番号情報と上述のように生成された救命具配備情報の各座席番号情報とが一致する場合には、全ての座席Ｓに救命胴衣５０が配備されており、上述のように読み取られた各座席番号情報と上述のように生成された救命具配備情報の各座席番号情報とが一致しない場合には、救命胴衣５０が配備されていない座席Ｓがあると判定することができる。特に、ＲＦＩＤタグ５２の情報が携帯端末２０により無線通信で読み取られるため、ＲＦＩＤタグ５２に書き込まれた座席番号情報の取得が容易となり、各救命胴衣５０の配備状態の確認作業を容易に実施することができる。
したがって、救命胴衣５０の配備状態を容易に確認することができる。
【００５８】
また、本第１実施形態に係る救命具管理システム１０では、表示部２４により、各座席Ｓの配置が反映された座席マップに対して、座席番号情報が読み取られた座席Ｓと読み取られなかった座席Ｓとが区別して表示される。これにより、座席番号情報が読み取られなかった座席Ｓ、すなわち、救命胴衣５０が配備されていない座席Ｓを、座席マップを用いて容易に視認することができる。
【００５９】
さらに、本第１実施形態に係る救命具管理システム１０では、ステップＳ２１１における判定結果にともなう完備情報送信処理により、航空機の運行の可否を判断するための情報として、当該完備情報が航空機の運行の可否を判断する部署等に対して報知される。これにより、救命胴衣５０の配備状態に起因する航空機の運行の可否を上記部署等にて迅速に判断することができる。
【００６０】
さらにまた、本第１実施形態に係る救命具管理システム１０では、ステップＳ２０９にて救命胴衣５０が配備されていない座席Ｓがあると判定されて、この救命胴衣５０が配備されていない座席Ｓに対して新たな救命胴衣５０が配備されるとき、この新たな救命胴衣５０の救命具情報と当該座席Ｓの座席番号情報とを携帯端末２０により取得することで、救命具配備情報が更新される。そして、この更新の際に、更新対象の救命具情報および座席情報が、携帯端末２０により更新対象の救命胴衣５０のＲＦＩＤタグ５２に書き込まれる。
【００６１】
このように、新たに配備される救命胴衣５０の救命具情報と座席番号情報とが取得されると救命具配備情報が更新されるので（Ｓ２２９）、救命具配備情報は、救命胴衣５０が新たに配備される場合でも、実際に配備された救命胴衣５０の救命具情報が反映されて常に最新の情報となり得る。また、更新対象の救命具情報および座席番号情報が当該救命胴衣５０のＲＦＩＤタグ５２に書き込まれるので（Ｓ２２３）、既に配備済みの救命胴衣５０に新たに配備された救命胴衣５０を含めた全救命胴衣５０の配備状態の確認を同一作業にて実施することができる。
【００６２】
また、本第１実施形態に係る救命具管理システム１０では、ＲＦＩＤタグ５２には、当該ＲＦＩＤタグ５２に書き込まれた救命具情報および座席情報が携帯端末２０により読み取られるとき、この読み取りに関するログ情報が書き込まれる。このため、携帯端末２０によりＲＦＩＤタグ５２の救命具情報および座席情報が読み取られるとき、すなわち、救命胴衣５０の配備状態の確認作業がなされるときには、この読み取りに関するログ情報が作業毎にＲＦＩＤタグ５２に書き込まれることとなる。これにより、管理サーバ１１では、その管理対象外での地域にてこの航空機に対して上記確認作業が実施される場合であっても、当該航空機が管理対象の地域に到着したときにでもＲＦＩＤタグ５２に書き込まれたログ情報を携帯端末２０を介して確認することで、上記確認作業の実施を確実に把握することができる。
【００６３】
［第２実施形態］
次に、本発明の救命具管理システムを具現化した第２実施形態について図８および図９を用いて説明する。図８および図９は、第２実施形態における制御部２１による救命具配備状態確認処理の流れを例示するフローチャートである。
【００６４】
本第２実施形態に係る救命具管理システム１０では、救命胴衣５０の使用期限をさらに管理する点が、上記第１実施形態に係る救命具管理システムと異なる。したがって、第１実施形態の救命具管理システムと実質的に同一の構成部分には、同一符号を付し、その説明を省略する。
【００６５】
本第２実施形態では、ＱＲコード５１は、上述した救命具情報が救命胴衣５０の使用期限日時に関する情報（以下、使用期限情報ともいう）を含むように光学的に読み取り可能にコード化されている。このため、上記ステップＳ１０３では、ステップＳ１０１にて取得された救命具情報および座席番号情報に加えて当該救命胴衣５０の使用期限情報が関連付けられて当該救命胴衣５０に付されたＲＦＩＤタグ５２に書き込まれることとなる。このようにＲＦＩＤタグ５２に書き込まれた使用期限情報を利用することで、使用期限日時までの残時間（以下、残時間Ｔともいう）が短くなった救命胴衣５０の交換を促すことができる。
【００６６】
以下、本第２実施形態における制御部２１による救命具配備状態確認処理について、図８および図９のフローチャートを用いて説明する。なお、本第２実施形態における制御部２１による救命具配備情報生成処理は、上述したＳ１０３における処理を除き、上記第１実施形態における制御部２１による救命具配備情報生成処と同じ処理となるため、説明を省略する。
【００６７】
上記第１実施形態と同様に、ステップＳ２１１にてＮｏと判定されるか、ステップＳ２２７にてＹｅｓと判定されるか、ステップＳ２３１における処理がなされると、図８のステップＳ３０１にて、配備された全ての救命胴衣５０の中で、残時間Ｔが所定の期間Ｔｏよりも短いものがあるか否かについて判定される。ここで、全ての救命胴衣５０における残時間Ｔが所定の期間Ｔｏ以上である場合には、ステップＳ３０１にてＮｏと判定されて、使用期限に起因する交換が促されることなく上記ステップＳ２１３以降の処理がなされる。ここで、上述した所定の期間Ｔｏは、例えば、１週間に設定されている。
【００６８】
一方、全ての救命胴衣５０のうち、１つ以上、残時間Ｔが所定の期間Ｔｏよりも短い救命胴衣５０があると（Ｓ３０１でＹｅｓ）、ステップＳ３０３にてその救命胴衣５０が使用期限切れか否かについて判定される。ここで、残時間Ｔが所定の期間Ｔｏよりも短いとされた全ての救命胴衣５０が使用期限切れでない場合には、ステップＳ３０３にてＮｏと判定される。
【００６９】
そして、ステップＳ３０５にて第１警告処理がなされる。この処理では、残時間Ｔが所定の期間Ｔｏよりも短い救命胴衣５０の残時間Ｔと当該救命胴衣５０が配備された座席番号とが表示されて、残時間Ｔが短いことを理由に交換を促す旨が表示部２４に表示される。この表示を見た作業者が現時点での交換をしない場合にそのための操作をすると、ステップＳ３０７にてＮｏと判定されて、上述したステップＳ２１３以降の処理がなされる。また、交換を促す表示を見た作業者が交換をする場合にそのための操作をすると、ステップＳ３０７にてＹｅｓと判定される。なお、表示部２４は、特許請求範囲に記載の「第２報知手段」の一例に相当し得る。
【００７０】
ステップＳ３０１にて残時間Ｔが所定の期間Ｔｏよりも短いとされた救命胴衣５０のうち、１つでも使用期限切れしている救命胴衣５０があると、ステップＳ３０３にてＹｅｓと判定される。そして、ステップＳ３０９にて第２警告処理がなされる。この処理では、使用期限が切れている救命胴衣５０と当該救命胴衣５０が配備された座席番号とが表示されて、使用期限が切れていることを理由に交換を促す旨が表示部２４に表示される。また、残時間Ｔが所定の期間Ｔｏよりも短い救命胴衣５０がある場合には、この救命胴衣５０の残時間Ｔと当該救命胴衣５０が配備された座席番号とが表示されて、残時間Ｔが短いことを理由に交換を促す旨が表示部２４に表示される。
【００７１】
ステップＳ３０７にてＹｅｓと判定されるか、ステップＳ３０９における処理が実施されると、図９のステップＳ３１１にて、情報コード、すなわち、救命胴衣５０のＱＲコード５１と不備とみなされた座席ＳのバーコードＳｂとの読み取りか否かについて判定され、当該情報コードが読み取られるまで、ステップＳ３１１にてＮｏとの判定が繰り返される。
【００７２】
そして、作業者が交換用の救命胴衣５０を用意し、この救命胴衣５０のＱＲコード５１と不備とみなされた座席ＳのバーコードＳｂとが読み取られると、ステップＳ３１１にてＹｅｓと判定される。続いて、ステップＳ３１３にて書込処理がなされ、上記ステップＳ１０３と同様に、上述のように新たに読み取られて取得された救命具情報および座席番号情報と当該救命胴衣５０の使用期限情報とが関連付けられて当該救命胴衣５０に付されたＲＦＩＤタグ５２に書き込まれる。
【００７３】
続いて、ステップＳ３１５にて、全ての座席Ｓについて座席番号情報および救命具情報と使用期限情報とが読み取られたか否かについて判定される。そして、不備とみなされた座席Ｓを認識した作業者により、当該座席Ｓに関する座席番号情報および救命具情報が読み取られるまで、ステップＳ３１５にてＮｏと判定されて、上述したステップＳ３１１からの処理が繰り返される。
【００７４】
そして、作業者により、不備とみなされた座席Ｓに救命胴衣５０が交換されて配備された状態でＲＦＩＤタグ５２の座席番号情報および救命具情報と使用期限情報とが読み取られることで、全ての座席Ｓについて座席番号情報および救命具情報と使用期限情報とが読み取られると、ステップＳ３１５にてＹｅｓと判定される。
【００７５】
続いて、ステップＳ３１７にて救命具配備情報更新処理がなされる。この処理では、実際に読み取った各座席Ｓでの救命具情報に応じて、上記ステップＳ２０１にて取得した救命具配備情報が更新される。これにより、救命具配備情報は、救命胴衣５０が交換される場合でも、実際に交換された救命胴衣５０の救命具情報および使用期限情報や使用期限情報が反映された最新の情報となり得る。
【００７６】
そして、ステップＳ３１９にて救命具配備情報送信処理がなされ、上述のように更新された救命具配備情報が、基地局１２を介して管理サーバ１１に送信される。管理サーバ１１では、受信した救命具配備情報に基づいて、記憶された救命具配備情報が更新されることとなる。このように、ステップＳ３１９における処理がなされると、図８のステップＳ２１３からの処理がなされることとなる。
【００７７】
以上説明したように、本第２実施形態に係る救命具管理システム１０では、救命具情報には、当該救命胴衣５０の使用期限情報が含まれており、携帯端末２０により読み取られた救命具情報の使用期限日時までの残時間Ｔが所定の期間Ｔｏよりも短くなるとき、その旨が表示部２４に表示されて報知される。このため、表示部２４の表示による報知により、使用期限日時までの残時間Ｔが短くなった救命胴衣５０の交換を促すことができる。
【００７８】
［第３実施形態］
次に、本発明の救命具管理システムを具現化した第３実施形態について図１０および図１１を用いて説明する。図１０は、第３実施形態に係る救命具管理システム１０ａの構成概要を示す説明図である。図１１は、第３実施形態における救命具盗難防止処理の流れを例示するフローチャートである。
【００７９】
本第３実施形態に係る救命具管理システム１０ａでは、各座席Ｓに配備された救命胴衣５０の盗難防止を実施する点が、上記第１実施形態に係る救命具管理システムと異なる。したがって、第１実施形態の救命具管理システムと実質的に同一の構成部分には、同一符号を付し、その説明を省略する。
【００８０】
本第３実施形態に係る救命具管理システム１０ａは、救命胴衣５０に付されたＲＦＩＤタグ５２を検出するとともにそのＲＦＩＤタグ５２に記憶された情報を読み取るＲＦＩＤタグ検出手段として、ＲＦＩＤタグ検出装置６０を備えている。このＲＦＩＤタグ検出装置６０は、図１０に示すように、航空機から降りる搭乗客（乗員）が通る航空機内の通路Ｐに配置されており、ＲＦＩＤタグ５２の検出時に読み取った座席番号情報等を、基地局１２を介して管理サーバ１１に送信可能に構成されている。なお、ＲＦＩＤタグ検出装置６０は、航空機から降りる搭乗客（乗員）が通る予定の通路であれば、航空機外等に設置してもよいし、複数設置してもよい。
【００８１】
本第３実施形態では、管理サーバ１１は、ＲＦＩＤタグ検出装置６０から送信される座席番号情報等に応じて救命胴衣５０の盗難防止を実施するための救命具盗難防止処理を実施する。
以下、管理サーバ１１による救命具盗難防止処理について図１１を用いて説明する。
まず、図１１のステップＳ４０１において、ＲＦＩＤタグ５２が検出されたか否かについて判定される。ここで、ＲＦＩＤタグ検出装置６０にてＲＦＩＤタグ５２が検出されるまで、ステップＳ４０１にてＮｏとの判定が繰り返される。
【００８２】
そして、救命胴衣５０を不正に持ち出した搭乗客（以下、不正持出者ともいう）が、ＲＦＩＤタグ検出装置６０が配置された通路Ｐを通ることで、この救命胴衣５０に付されたＲＦＩＤタグ５２が検出されて、このＲＦＩＤタグ５２に記憶された情報が基地局１２を介して受信されると、ステップＳ４０１にてＹｅｓと判定される。次に、ステップＳ４０３において、座席情報抽出処理がなされる。この処理では、基地局１２を介して受信した情報から座席番号情報が抽出される。この抽出された座席番号から、当該座席番号の座席Ｓに座っていた者を、不正持出者として特定することができる。
【００８３】
続いて、ステップＳ４０５において、報知処理がなされる。この処理では、救命胴衣５０の不正持ち出しがあったことが報知されるとともに、不正持出者を特定する情報が報知される。この報知情報が報知された客室乗務員等により、対象の座席Ｓに救命胴衣５０が配備されていないことが確認されると、上記報知情報が報知された空港警備員等により、不正持出者に対して救命胴衣５０に関する質問等がなされて、不正に持ち出された救命胴衣５０が回収されることとなる。なお、ステップＳ４０５を実行する管理サーバ１１は、特許請求の範囲に記載の「第３報知手段」の一例に相当し得る。
【００８４】
これにより、座席Ｓに配備された救命胴衣５０が不正持出者により不正に航空機外または空港外に持ち出される場合に、この持ち出しが報知されることとなるので、救命胴衣５０の持ち出しを確実に検知して救命胴衣５０の盗難を防止することができる。特に、ＲＦＩＤタグ検出装置６０により検出されたＲＦＩＤタグ５２の座席番号情報が取得されることで、不正持出者がどの座席Ｓに座っていたか分かるので、混雑しやすい時間帯を避けて後からでもその不正持出者を特定することができる。
【００８５】
なお、本発明は上記各実施形態に限定されるものではなく、以下のように具体化してもよい。
（１）上記各実施形態における救命具管理システム１０は、航空機の各座席Ｓに配備される救命胴衣５０を管理対象とすることに限らず、例えば、船舶などの輸送機の各座席に配備される救命胴衣等の救命具を管理対象としてもよい。
【００８６】
（２）上記各実施形態における救命具管理システム１０は、救命胴衣５０を管理対象とすることに限らず、例えば、酸素マスクなど各座席毎に配備される救命具を管理対象としてもよい。
【００８７】
（３）救命具配備情報は、携帯端末２０にて生成されることに限らず、携帯端末２０から必要な情報を獲た管理サーバ１１にて生成されてもよい。
【符号の説明】
【００８８】
１０，１０ａ…救命具管理システム
１１…管理サーバ（生成手段，第３報知手段）
２０…携帯端末（取得手段，書込手段，生成手段，判定手段，第１報知手段）
２１…制御部（取得手段，書込手段，生成手段，判定手段，第１報知手段）
２４…表示部（表示手段，第２報知手段）
５０…救命胴衣（救命具）
５１…ＱＲコード
５２…ＲＦＩＤタグ
６０…ＲＦＩＤタグ検出装置（ＲＦＩＤタグ検出手段）
Ｐ…通路
Ｓ…座席
Ｓｂ…バーコード
【図１】
0005605065.tif 000002
【図２】
0005605065.tif 000003
【図３】
0005605065.tif 000004
【図４】
0005605065.tif 000005
【図５】
0005605065.tif 000006
【図６】
0005605065.tif 000007
【図７】
0005605065.tif 000008
【図８】
0005605065.tif 000009
【図９】
0005605065.tif 000010
【図１０】
0005605065.tif 000011
【図１１】
0005605065.tif 000012